(57)【要約】【課題】電子機器の電池収納部への電池の挿入、装着及び取り出しの際の操作性を向上できる簡単、安価な構造を提供する。【解決手段】電池収納部６の片側近傍にロック部材３が中間のヒンジ部３ａを回動中心として回動可能に設けられる。収納部６に対する電池２の装着位置への挿入及び取り出し時に、電池２が収納部６内で装着位置に近い所定位置から装着位置までの領域にある間は、電池２の先端部２ｃの側面２ｄがロック部材３の一端に形成された凸部３ｃに接触することにより、ロック部材３が他端のロック爪３ｂによる電池２の後端部２ｅとの係合を可能とする回動位置で係合を解除する方向に対応する時計回り方向に回動できないように拘束され、それにより電池２が装着位置まで挿入されたときにロック爪３ｂが電池２の後端部２ｅに係合し得るようにした。【選択図】　　　　図２
2004014308.tif 000002
【特許請求の範囲】
【請求項１】
電池で駆動される電子機器において、
前記電池を収納する電池収納部であって、一端側に前記電池の外部からの挿入と外部への取り出しを行うための開口部が形成された電池収納部と、
該電池収納部内の所定の装着位置まで挿入された電池の後端部に係合して電池を装着位置に保持するロック部材であって、前記係合を解除する方向に弾性変形可能なロック部材を有し、
該ロック部材は、一端に前記電池の後端部に係合するロック爪、他端に前記電池の前端部の側面に接触する凸部、中間に回動支点部が形成され、該回動支点部を回動中心として、前記係合を解除する方向に対応する回動方向とその逆の回動方向に回動可能に設けられており、
前記電池収納部に対する電池の装着位置への挿入及び取り出し時に、電池が電池収納部内で装着位置に近い所定位置から装着位置までの領域にある間は、電池の先端部側面が前記ロック部材の凸部に接触することにより、ロック部材が前記係合を可能とする回動位置で前記係合を解除する方向に対応する回動方向に回動できないように拘束され、それにより電池が装着位置まで挿入されたときにロック部材のロック爪が電池の後端部に係合し得るようにしたことを特徴とする電子機器。
【請求項２】
前記電池収納部に挿入された電池の先端部に接触して圧縮され電池を弾性力により取り出し方向に押圧する弾性部材が電池収納部の電池挿入方向の奥に設けられ、該弾性部材の圧縮されていない状態での先端の位置が前記ロック部材の凸部の先端部の位置より前記電池収納部の開口部側にあることを特徴とする請求項１に記載の電子機器。
【請求項３】
前記電池収納部の開口部を開閉する蓋部材であって、該蓋部材を閉じた状態でロックするロック機構を備えた蓋部材を有し、該蓋部材には、該蓋部材を閉じた状態で前記ロック部材に係合する係合部が設けられ、該係合部の係合により、前記ロック部材が前記電池の後端部に対する前記ロック爪の係合を解除する方向に弾性変形し得ないように拘束されるようにしたことを特徴とする請求項１または２に記載の電子機器。
【発明の詳細な説明】
【０００１】
【発明の属する技術分野】
本発明は電子機器に関し、特に駆動用電池を収納する電池収納部を有する電子機器に関するものである。
【０００２】
【従来の技術】
従来、この種の電子機器において、電池収納部に挿入されて装着された電池の抜けを防止するために、曲がるように弾性変形可能なロック部材を電池に係合させて電池を保持するようにした構造が特開平１０−２４１６４８号などにより知られている。その構造は図７及び図８に示すようになっており、電子機器の例えば電池パックとして構成された電池２を収納する電池収納部１１に上記のロック部材１０が設けられる。ロック部材１０は、ロック爪１０ａを形成した先端部が電池収納部１１の電池取り出し方向（図中で右方向）側の端部の開口部１１ａに臨むように配置され、後端部が電池収納部１１の壁に固定される。
【０００３】
操作者が電池２を電池収納部１１に装着するときには、図８のようにロック爪１０ａを電池収納部１１の開口部１１ａから退かせるようにロック部材１０を指で弾性変形させて、電池２を電池収納部１１に挿入し、電池２の給電端子２ａ，２ｂが電子機器側の電源端子１ａ，１ｂに接続される装着位置まで押し込む。そして、ロック部材１０から指を離すことにより、ロック部材１０が弾性で元の形状に復帰し、図７のようにロック部材１０のロック爪１０ａが電池２の後端部２ｅに係合して、電池２が装着位置に保持される。
【０００４】
また、電池２を取り出すときには、図７の状態から、ロック爪１０ａを退かせるようにロック部材１０を弾性変形させる。これにより、ロック部材１０と電池２の係合が外れ、電池２の保持が解除され、電池収納部１１の奥に設けられた電池押出しバネ４の押圧力により、図８のように電池２が電池収納部１１の開口部から少し押出される。後は、電池２の後端部２ｅを指で摘んで電池２を取り出せばよい。
【０００５】
【発明が解決しようとする課題】
しかし上記のような従来の構造では以下のような問題があった。
【０００６】
１）操作者が電池２を取り出す際に、ロック部材１０を退かせるように弾性変形させた後、電池２が電池収納部１１から完全に取り出される前にロック部材１０から指を離してしまうと、ロック部材１０が弾性で元の形状に復帰しようとして、図８に示すように、ロック爪１０ａが電池２の側面に当接し、ロック部材１０の弾性力で圧接する。これにより、両者の接触部Ａに摩擦抵抗が生じ、電池２を取り出し方向に移動させにくくなり、操作性が悪い。
【０００７】
２）電池２を挿入して装着する際も、ロック部材１０を退かせるように弾性変形させた後、電池２を挿入して電池２が装着位置まで挿入される前にロック部材１０から指を離してしまうと、同様にロック爪１０ａが電池２の側面に弾性力で圧接し、電池２を挿入方向に移動させにくくなり、操作性が悪い。
【０００８】
３）上記のように操作者が電池２の取り出し又は挿入の途中でロック部材１０から指を離さないようにするために、ロック部材１０の変形ストロークを大きくすると、電池収納部１１の周辺寸法が大きくなり、電子機器の小型化に障害となる。
【０００９】
そこで本発明の課題は、この種の電池収納部を有する電子機器において、簡単、安価、しかも小型化が図れる構造で、電池を電池収納部へ挿入して装着する際と取り出す際の操作性を向上することができる構造を提供することにある。
【００１０】
【課題を解決するための手段】
上記の課題を解決するため、本発明によれば、
電池で駆動される電子機器において、
前記電池を収納する電池収納部であって、一端側に前記電池の外部からの挿入と外部への取り出しを行うための開口部が形成された電池収納部と、
該電池収納部内の所定の装着位置まで挿入された電池の後端部に係合して電池を装着位置に保持するロック部材であって、前記係合を解除する方向に弾性変形可能なロック部材を有し、
該ロック部材は、一端に前記電池の後端部に係合するロック爪、他端に前記電池の前端部の側面に接触する凸部、中間に回動支点部が形成され、該回動支点部を回動中心として、前記係合を解除する方向に対応する回動方向とその逆の回動方向に回動可能に設けられており、
前記電池収納部に対する電池の装着位置への挿入及び取り出し時に、電池が電池収納部内で装着位置に近い所定位置から装着位置までの領域にある間は、電池の先端部側面が前記ロック部材の凸部に接触することにより、ロック部材が前記係合を可能とする回動位置で前記係合を解除する方向に対応する回動方向に回動できないように拘束され、それにより電池が装着位置まで挿入されたときにロック部材のロック爪が電池の後端部に係合し得るようにした構成を採用した。
【００１１】
【発明の実施の形態】
以下、図を参照して本発明の実施の形態を説明する。
【００１２】
［第１の実施形態］
本発明の第１の実施形態による電子機器の電池収納部における電池の保持構造を図１〜図５により説明する。
【００１３】
まず図１は、本実施形態による電子機器の手前側の部分の外観を概略的に示している。この電子機器１は、上面に液晶表示器１２及びキーボード１３などが設けられ、内部に不図示の回路基板や印字装置などが設けられており、例えば主に屋外でのデータ収受作業の支援端末としての使用に好適なものである。
【００１４】
この電子機器１の手前側には、後述する電池２（図２〜図５参照）を挿入して装着する電池収納部６が設けられており、その一端側で、ここでは電子機器の手前側の右側面には、電池２を外部から挿入するためと外部へ取り出すための開口部６ａが形成されている。電池収納部６とその開口部６ａの位置はこれに限らないことは勿論である。
【００１５】
次に、図２〜図５は、電池収納部６周辺の構造と、電池の挿入、装着及び取り出し動作を説明する断面図である。まず、図２及び図３により構造を説明する。
【００１６】
図２において、電池２は、ここでは一例として複数の電池をパックした電池パックとして構成されたものとする。勿論、通常の１つの電池でもよい。電池２の外形形状は、電池収納部６に対する挿入と取り出しに適するように、図２中で左右方向の電池挿入、取り出し方向を長手方向とする真っ直ぐな形状が好ましく、ここでは挿入、取り出し方向を長手方向とする直方体形状としている。電池２の長手方向の一方の端部には、電子機器１に駆動電源を供給するための給電端子２ａ，２ｂが設けられており、電池２は、この給電端子２ａ，２ｂ側の端部２ｃを先端部（電池挿入方向側の端部）として、先端部２ｃ側から電池収納部６に挿入して装着される。
【００１７】
また、電池収納部６の電池挿入方向の奥に形成された壁において、後述する電池押出しバネ４を設けた中央部を除く部分は、挿入した電池２を突き当てて装着位置に位置決めするための突き当て部６ｂとなっている。この突き当て部６ｂに電子機器１の本体側の電源端子１ａ，１ｂが立設されており、電池２を電池収納部６に挿入し突き当て部６ｂに突き当てて装着位置に位置決めした際に、電池２の給電端子２ａ，２ｂが電源端子１ａ，１ｂと接続されて導通するようになっている。
【００１８】
一方、電池収納部６の電池挿入、取り出し方向に沿った片方の壁６ｃの外側近傍には、装着位置まで挿入された電池２に係合して電池２を保持するロック部材３が設けられている。ロック部材３は、曲がるように弾性変形可能なものとして、例えば樹脂材料であればポリアセタールを用いた射出成形部品などとして形成される。
【００１９】
また、ロック部材３は、細長い形状に形成されており、長手方向の中間には、回動支点部としてのヒンジ部３ａ、一方の端部には、後述のように電池２の後端部２ｅに係合するロック爪３ｂ及び操作者が指をかけてロック部材３を操作するための操作部３ｄ、他方の端部には、後述のように電池２の先端部２ｃの側面２ｄに接触する凸部３ｃが形成されている。ロック爪３ｂと凸部３ｃは、ロック部材３の長手方向に沿った片側で前記長手方向に直交する方向に突出している。凸部３ｃの先端部は半球ないし半円柱形状に形成されており、電池２の先端部２ｃの側面２ｄに接触したときの両者間の摩擦抵抗が小さくなるようになっている。操作部３ｄはロック部材３の長手方向に少しだけ突出している。
【００２０】
また、ロック部材３は、電池収納部６の壁６ｃの外側近傍に設けられたヒンジピン５に対してヒンジ部３ａに形成された孔を挿し込ませることにより電子機器に組み付けられ、ヒンジピン５を回動中心、すなわちヒンジ部３ａを回動中心として、図２中で時計回り方向と反時計回り方向に回動可能となっている。また、ロック部材３のロック爪３ｂが電池収納部６の開口部６ａに臨み、凸部３ｃが電池収納部６の壁６ｃにおいて電池挿入方向の奥寄りに形成された窓６ｄに臨むように配置されている。そして、ロック部材３の回動により、ロック爪３ｂと凸部３ｃが電池収納部６側に向かう方向とその逆方向に、互いに逆方向に変位するようになっている。
【００２１】
一方、電池収納部６の挿入方向の奥の壁の中央部には、挿入された電池２を挿入方向と逆の取り出し方向に押圧する弾性部材としての電池押出しバネ４が設けられている。ここでは、電池押出しバネ４は、バネ用ステンレス鋼線等の金属線材料からなる円錐コイルバネとする。電池押出しバネ４は、電池収納部６に挿入される電池２に押圧されて圧縮され、復元（伸長）しようとする弾性力（以下、復元力という）で電池２を取り出し方向に押圧する。
【００２２】
この電池押出しバネ４に関して、図３に示すように、電池収納部６に電池２が挿入されておらず、電池押出しバネ４が圧縮されていないフリーな状態で突き当て部６ｂから電池取り出し方向へ突出する長さ（以下、自由長という）をＬ１とする。また、突き当て部６ｂからロック部材３の凸部３ｃの先端部の位置までの距離をＬ２とする。本実施形態では、この自由長Ｌ１と距離Ｌ２との関係が
Ｌ１＞Ｌ２
となるように構成する。すなわち、電池押出しバネ４の圧縮されていない状態での先端の位置がロック部材３の凸部３ｃの先端部の位置より開口部６ａ側にあるようにする。なお、距離Ｌ２は可能な限り小さく設定し、
Ｌ１−Ｌ２
の寸法が大きくなるように設計すると電池２の着脱時の操作性が向上することがわかっている。
【００２３】
次に、電池の装着及び取り出し動作を図２〜図５により説明する。まず装着動作を説明する。
【００２４】
図３に示す電池収納部６に電池２が挿入されていない状態では、ロック部材３は電池収納部６の壁６ｃに当たらない範囲で回動可能なフリーの状態にある。この状態から操作者が電池２を電池収納部６に挿入して装着するときには、まずロック部材３の操作部３ｄを指で摘んで、図４に示すようにロック部材３を時計回り方向に回動させてロック爪３ｂを開口部６ａから退かせ、電池２を電池収納部６に対し図中で左方向に挿入する。そして、電池２を突き当て部６ｂから前述した電池押出しバネ４の自由長Ｌ１の距離の位置まで挿入すると、図４に示すように、電池２の先端部２ｃが電池押出しバネ４に接触する。この時点以後、操作者は、電池押出しバネ４の弾性力に抗して、電池押出しバネ４を圧縮させながら更に電池２を突き当て部６ｂに向かって挿入する。
【００２５】
そして、電池２を突き当て部６ｂから前述した距離Ｌ２の位置より少しだけ手前の所定位置まで挿入すると、電池２の先端部２ｃがロック部材３の凸部３ｃに当接し、さらに突き当て部６ｂから距離Ｌ２の位置を経て、それより突き当て部６ｂに近い位置まで挿入すると、先端部２ｃが凸部３ｃを押しのけるようにしてロック部材３を反時計回り方向に回動するように押圧する。
【００２６】
ここで操作者がロック部材３の操作部３ｄから指を離さずに操作部３ｄを保持していれば、図５に示すように、ロック部材３のヒンジ部３ａよりロック爪３ｂ側の部分を撓ませるようにして、ヒンジ部３ａより凸部３ｃ側の部分が反時計回り方向に回動し、凸部３ｃが電池２の先端部２ｃの側面２ｄに接触する。接触部を符号Ｂで示してある。なお、電池２の先端部２ｃが突き当て部６ｂから距離Ｌ２の位置に達したときに凸部３ｃが側面２ｄに接触し始める。この接触により、ロック部材３は図示した回動位置で時計回り方向に回動できないように拘束される。なお、このときのロック部材３の回動位置は、後述のように電池２が装着位置まで挿入されたときにロック爪３ｂが電池２の後端部２ｅに係合するのを可能とする回動位置である。これ以後は、電池２は先端部２ｃの側面２ｄが凸部３ｃに摺動して挿入される。
【００２７】
なお、図５は、上記のように操作者が指を操作部３ｄから離さず図示の位置に保持している場合を示しており、この場合、ロック部材３のロック爪３ｂが電池２の後端部（取り出し方向側の端部）２ｅの側面２ｆから離れている。電池２の挿入開始から図５に示す位置への挿入までの間に操作者が指を操作部３ｄから離していれば、図５の時点でロック部材３のヒンジ部３ａよりロック爪３ｂ側の部分もロック爪３ｂが電池２の後端部２ｅの側面２ｆに接触するまで反時計方向に回動され、その後撓ませられる。
【００２８】
さらに、電池２の先端部２ｃが電池収納部６の突き当て部６ｂに突き当たって位置決めされる装着位置まで挿入された後、操作者がロック部材３の操作部３ｄから指を離せば、撓んでいたロック部材３のヒンジ部３ａよりロック爪３ｂ側の部分が元の形状に復帰し、ロック爪３ｂが開口部６ａに向かう方向に変位し、図２に示すように電池２の後端部２ｅの角部に係合し、電池２が装着位置に保持される。
【００２９】
なお、これ以前に操作者が指を操作部３ｄから離していた場合は、電池２が装着位置まで挿入されたときに、それまで電池２の後端部２ｅの側面２ｆに接触していたロック爪３ｂが側面２ｆを乗り越えて開口部６ａに向かう方向に変位し、図２のように、電池２の後端部２ｅの角部に係合し、電池２を装着位置に保持する。
【００３０】
図２に示す電池２の装着位置への保持状態では、ロック部材３の凸部３ｃが電池２の先端部２ｃの側面２ｄに接触していることにより、ロック部材３が図示の回動位置から時計回り方向、すなわち電池２の後端部２ｅに対するロック爪３ｂの係合を解除する方向に対応する回動方向に回動できないように拘束されている。従って、操作者がロック部材３を指で撓ませてロック爪３ｂの係合を解除しない限り、ロック爪３ｂの係合は解除されず、電池２は電池収納部６内の装着位置に保持される。
【００３１】
なお、この装着、保持状態において、電池２の給電端子２ａ，２ｂが電源端子１ａ，１ｂに接触して導通しており、電子機器への給電がなされることは勿論である。また、この装着、保持状態において、電池２に対するロック部材３のロック爪３ｂの係合による拘束力は、圧縮された電池押出しバネ４の復元力よりも大きいので、電池２が電池収納部６から離脱することが無く保持され、電子機器１への給電が維持、確保されることも勿論である。
【００３２】
次に、電池２の取り出し動作を説明する。図２のように、電池２が電池収納部６内の装着位置に保持された状態から電池２を取り出す際には、操作者は先ずロック部材３の操作部３ｄに指を掛けて、図５に示すようにロック爪３ｂ側が時計回り方向に撓むようにロック部材３を弾性変形させる。これにより電池２の後端部２ｅに対するロック爪３ｂの係合が解除され、電池２は圧縮されていた電池押出しバネ４の復元力の押圧により、電池取り出し方向で図中の右方向に移動する。電池２が取り出し方向に移動するに伴い、給電端子２ａ，２ｂと電源端子１ａ，１ｂの接触が解除され、電子機器１への駆動電源の供給が切断される。
【００３３】
このとき、電池２の先端部２ｃが突き当て部６ｂの位置から距離Ｌ２の位置に達するまでは、ロック爪３ｂ側が時計回り方向に撓むように弾性変形させられたロック部材３の凸部３ｃが電池２の先端部２ｃの側面２ｄに対してロック部材３の弾性力により圧接しており、両者の接触部Ｂにおいて電池２の取り出し方向に対して摩擦抵抗が働くが、この摩擦抵抗より電池押出しバネ４の復元力が大きくなるように設計されていることにより、電池２は摩擦抵抗に抗して取り出し方向に押し出されることとなる。
【００３４】
ここで、電池押出しバネ４を円錐コイルバネとしている理由は、円錐コイルバネの荷重特性が圧縮量に対する復元力を非線形に設定することが可能だからである。本実施形態では、これを利用して、電池押出しバネ４の復元力、すなわち電池を押出す押出し力として、電池２の先端部２ｃが電池収納部６の突き当て部６ｂから距離Ｌ２の位置までの領域に位置する間は極めて強い押出し力が発揮され、距離Ｌ２の位置を越えて自由長Ｌ１の位置に至るまでの領域に位置する間は比較的低い押出し力が発揮されるように設計するものとする。
【００３５】
こうすることにより、電池押出しバネ４の押出し力によって、電池２を上記の接触部Ｂの摩擦抵抗に抗して突き当て部６ｂから距離Ｌ２の位置よりも開口部６ａ側の位置で、図４に示すようにロック部材３の凸部３ｃと電池２の先端部２ｃの側面２ｄとの接触が解除された位置まで押出すことができる。
【００３６】
但し通常の圧縮コイルバネを使用しても、同様にその押出し力によって電池２を上記接触が解除された位置まで押出すようにすることが実現できる。その際には、上記接触部Ｂでの摩擦抵抗を小さくするために、ロック部材３においてヒンジ部３ａより凸部３ｃ側の部分の変形に対する弾性力をロック爪３ｂ側の部分の弾性力よりも小さくすれば良い。具体的には、ヒンジ部３ａより凸部３ｃ側の部分の腕の肉厚を薄くする、あるいは腕幅を狭くしたりすれば良い。
【００３７】
さて、上記のように電池押出しバネ４の押出し力によって、図４に示すように、ロック部材３の凸部３ｃと電池２の先端部２ｃの側面２ｄとの接触が解除された位置まで電池２が押出されると、前記接触の解除により、ロック部材３は時計周り方向への回動が可能となる。このため、これまでロック爪３ｂ側の部分が時計回り方向に撓ませられていたロック部材３は凸部３ｃ側の部分が時計回り方向に回動して全体として元の形状に復帰する。したがって、この時点で操作者がロック部材３の操作部３ｄから指を離しても、ロック爪３ｂ側の部分が弾性力で反時計方向に回動して電池２の後端部２ｅの側面２ｆに接触することはない。このため、電池２の取り出し方向に対する摩擦抵抗は発生せず、電池２をスムーズに電池収納部６から取り出すことが可能である。
【００３８】
以上のような本実施形態によれば、電池２を電池収納部６に挿入して装着するときは、電池をその先端部２ｃがロック部材３の凸部３ｃに接触する位置（図４と図５の間で突き当て部６ｂに近い奥の位置）に挿入するまでは、操作者がロック部材３の操作部３ｄから指を離したとしても、凸部３ｃないしロック爪３ｂが電池２に接触することはなく、それによる摩擦抵抗は生じない。摩擦抵抗が生じるのは、上記の接触する位置以後で挿入ストロークの最後の短い一部分だけである。
【００３９】
また、電池２を取り出すときは、電池２の先端部２ｃの側面２ｄとロック部材３の凸部３ｃが接触している間は、その接触による摩擦抵抗があるが、その摩擦抵抗に抗して電池押出しバネ４の押出し力で電池２が前記接触が解除された位置まで押し出される。そして、その後は、操作者がロック部材３の操作部３ｄから指を離したとしても、凸部３ｃないしロック爪３ｂが電池２に接触することはなく、それによる摩擦抵抗は生じない。
【００４０】
したがって、本実施形態によれば、電池を挿入して装着する動作と取り出し動作をスムーズに行なうことができ、それぞれの動作における操作性が先述した従来例より格段に良くなる。また、先述した従来例のように、操作者が電池の取り出し又は挿入の途中でロック部材から指を離さないようにするために、ロック部材の変形ストロークを大きくするようなことが不要であり、電池収納部６の周辺寸法を小さくでき、電子機器の小型化を図れる。さらに、本実施形態の構造では、従来例に比べて部品点数が増えず、簡単で安価に実施することができる。
【００４１】
［第２の実施形態］
次に、本発明の第２の実施形態を図６により説明する。図６は、第２の実施形態における電子機器の電池収納部周辺の構造を示す断面図である。
【００４２】
図６に示す本実施形態の構造では、上述した第１の実施形態と共通の電池収納部６周辺の構造に加えて、電池収納部６の開口部６ａを開閉する蓋部材７が設けられている。蓋部材７は、不図示のヒンジにより電子機器の本体に対して開口部６ａを開閉するように回動可能に取り付けられており、不図示のロック機構により、開口部６ａを閉じた状態でロックできるようになっている。ロック機構は回転式ロック機構やスライド式ロック機構とする。
【００４３】
蓋部材７の内側面には、ロック部材３の操作部３ｄと係合する係合部７ａが設けられている。そして図示のように、電池収納部６内の装着位置に挿入された電池２の後端部２ｅにロック部材３のロック爪３ｂが係合して電池２が保持された状態であって、蓋部材７が閉じた状態で、係合部７ａがロック部材３の操作部３ｄに係合することにより、ロック部材３のヒンジ部３ａよりロック爪３ｂ側の部分が図中で時計周り方向へ弾性変形し得ないように拘束する。すなわち、電池２の後端部２ｅに対するロック爪３ｂの係合を解除する方向へ弾性変形し得ないように拘束する。
【００４４】
従って、この閉状態で蓋部材７を上記ロック機構によりロックしておけば、電子機器１が落下による衝撃等の外部からの衝撃を受けた際に、その衝撃で電池２の後端部２ｅに対するロック爪３ｂの係合が解除されてしまうことはなく、電池２が電池収納部６から飛び出してしまうことを確実に防止することができる。
【００４５】
【発明の効果】
以上の説明から明らかなように、本発明によれば、駆動用電池を収納する電池収納部を有する電子機器において、電池収納部内の装着位置まで挿入された電池の後端部に係合して電池を装着位置に保持するロック部材に関わる構造を工夫することにより、従来に比べて部品点数が増えず、簡単で安価、しかも小型化が図れる構造で、電池を電池収納部へ挿入して装着する際と取り出す際の操作性を向上することができるという優れた効果が得られる。
【００４６】
また、上記ロック部材に関連して、電池収納部の開口部を開閉する蓋部材の構造を工夫することにより、外部からの衝撃で電池が電池収納部から飛び出してしまうことを確実に防止することができ、電子機器の信頼性を向上できるという優れた効果が得られる。
【図面の簡単な説明】
【図１】本発明の第１の実施形態における電子機器の電池収納部を設けた手前側部分の外観を概略的に示す斜視図である。
【図２】同電子機器の電池収納部に電池が装着された状態を示す電池収納部周辺の断面図である。
【図３】同電子機器の電池収納部に設けられた電池押出しバネの自由長とロック部材の凸部の位置との関係を示す電池収納部周辺の断面図である。
【図４】同電子機器の電池収納部に対する電池の挿入途中ないし取り出し途中で電池先端部の側面にロック部材の凸部が接触していない状態を示す電池収納部周辺の断面図である。
【図５】同電子機器の電池収納部に対する電池の挿入途中ないし取り出し途中で電池先端部の側面にロック部材の凸部が接触している状態を示す電池収納部周辺の断面図である。
【図６】本発明の第２の実施形態における電子機器の電池収納部周辺の構造を示す断面図である。
【図７】従来の電子機器の電池収納部に電池が装着された状態を示す電池収納部周辺の断面図である。
【図８】従来の電子機器の電池収納部に対する電池の挿入途中ないし取り出し途中でロック部材のロック爪が電池の後端部側面に接触している状態を示す電池収納部周辺の断面図である。
【符号の説明】
１　電子機器
２　電池
３　ロック部材
３ａ　ヒンジ部
３ｂ　ロック爪
３ｃ　凸部
３ｄ　操作部
４　電池押出しバネ
５　ヒンジピン
６　電池収納部
７　蓋部材
【図１】
2004014308.tif 000003
【図２】
2004014308.tif 000004
【図３】
2004014308.tif 000005
【図４】
2004014308.tif 000006
【図５】
2004014308.tif 000007
【図６】
2004014308.tif 000008
【図７】
2004014308.tif 000009
【図８】
2004014308.tif 000010